(57)【要約】表示装置は、第１基板（２）と、対極（３）と、第２基板（４）と、第２基板（４）に結合されたエレクトロクロミック層（５ａ、５ｂ、５ｃ）のスタックと、対極（３）とエレクトロクロミック層（５ａ、５ｂ、５ｃ）のスタックとの間に配置された電解質（６）とを有する複数の独立にアドレッシングされることができる画素（１）を有する。エレクトロクロミック層（５ａ、５ｂ、５ｃ）は、それぞれスイッチング動作に対して独立にアドレッシングされることができ、電解質（７）の層により互いに分離されている。画素（１）を動作する駆動方法は、エレクトロクロミック層（５）又はエレクトロクロミック層（５）に結合された作用電極（１０）に選択的に接続されることができる少なくとも１つの電力線（８）を提供するステップと、電力線（８）に脱色電圧又は着色電圧を選択的に印加するステップと、維持期間中電力線（８）の接続を維持するステップと、電力線（８）の接続を断つステップとを有する。
2005535930.tif 000002
【特許請求の範囲】
【請求項１】
複数の独立にアドレッシングされることができる画素を有する表示装置において、前記画素が、第１基板と、対極と、第２基板と、前記第２基板に結合されたエレクトロクロミック層のスタックと、前記対極と前記エレクトロクロミック層のスタックとの間に配置された電解質とを有し、前記エレクトロクロミック層がそれぞれスイッチング動作に対して独立にアドレッシングされることができ、前記エレクトロクロミック層が電解質の層により互いから分離される表示装置。
【請求項２】
独立にアドレッシングされることができる作用電極が、前記第２基板と前記エレクトロクロミック層のスタック内の前記第２基板に隣接するエレクトロクロミック層との間に配置される、請求項１に記載の表示装置。
【請求項３】
異なる独立にアドレッシングされることができる作用電極が、前記エレクトロクロミック層のスタック内のそれぞれ対応するエレクトロクロミック層に結合される、請求項１に記載の表示装置。
【請求項４】
前記エレクトロクロミック層を互いから分離する前記電解質が、固体のような電解質である、請求項１に記載の表示装置。
【請求項５】
前記固体のような電解質がポリマ電解質である、請求項４に記載の表示装置。
【請求項６】
前記エレクトロクロミック層のスタックが３つの単色エレクトロクロミック層を有する、請求項１に記載の表示装置。
【請求項７】
前記表示装置の各画素の前記対極が、１つの共通の対極を形成するように接続される、請求項１に記載の表示装置。
【請求項８】
エレクトロクロミック層又は前記エレクトロクロミック層に結合された作用電極に選択的に接続されることができる少なくとも１つの電力線を提供するステップと、
前記電力線に脱色電圧又は着色電圧を選択的に印加するステップと、
脱色又は着色されるべき前記エレクトロクロミック層又は前記エレクトロクロミック層に結合された前記作用電極をアドレッシングするステップと、
前記電力線を前記アドレッシングされたエレクトロクロミック層又は前記アドレッシングされたエレクトロクロミック層に結合された前記作用電極に接続するステップと、
維持期間中前記アドレッシングされたエレクトロクロミック層又は前記アドレッシングされたエレクトロクロミック層に結合された前記作用電極に対する前記電極線の接続を維持するステップと、
前記アドレッシングされたエレクトロクロミック層又は前記アドレッシングされたエレクトロクロミック層に結合された前記作用電極から前記電力線の接続を断つステップと、
を有する、請求項１乃至７の何れか一項に記載の表示装置の画素を動作する駆動方法。
【請求項９】
追加のエレクトロクロミック層又は前記追加のエレクトロクロミック層に結合された作用電極のアドレッシングが、連続的なライン周期で順番に実行される、請求項８に記載の方法。
【請求項１０】
追加のエレクトロクロミック層又は前記追加のエレクトロクロミック層に結合された作用電極のアドレッシングが、同じライン周期に並列に実行される、請求項８に記載の方法。
【発明の詳細な説明】
【技術分野】
【０００１】
本特許出願は、エレクトロクロミック表示装置の分野に関し、特にこのような表示装置にフルカラー動作を提供する装置及びこのための駆動方法に関する。より具体的には、本特許出願は、エレクトロクロミック表示装置の各画素セル（pixel cell）に対してフルカラー動作を提供する効率的なシステムに関する。
【背景技術】
【０００２】
近年、エレクトロクロミック表示装置は、電子ペーパータイプのディスプレイの候補として研究されている。しかしながら、現在商業化可能なエレクトロクロミック・ディスプレイ技術の遅いスイッチング速度及び高い電力消費は、ディスプレイ市場のニーズを満たさない。最近は、性能を向上するために、化学的に改良されたナノ構造メソポーラス膜（nano-structured mesoporous films）のようなナノ材料の使用に向かう傾向にある。このような材料の使用は有望な結果を示している。しかしながら、エレクトロクロミック・ディスプレイに関する残りの主要な問題の１つは、色の生成である。
【０００３】
１つの従来技術のアプローチは、それぞれ対向表面（facing surface）上に形成された電解質を持つ５つの透明板を有する４層光フィルタを使用する選択的な色生成を提案する。ガラス又はプラスチックの透明板は、対向表面上で酸化スズ又は薄い金属透明導体でコーティングされる。エレクトロクロミック導電性ポリマの薄い層（０.０１μｍ乃至０.１μｍ）が、対面電極の各対の電極の一方に配置される。４層が記載されているが、パネルを通して異なる色及び明度の透過を可能にするために、２つ以上の層が、どんな電圧の組み合わせでも使用されることができることが示唆されている。このタイプのシステムは米国特許公開公報ＵＳ４７４９２６０において開示される。
【発明の開示】
【発明が解決しようとする課題】
【０００４】
従って、本発明の目的は、エレクトロクロミック表示機器にフルカラーを与える改良された装置を提供することである。
【課題を解決するための手段】
【０００５】
この目的は、請求項１で特定される本発明による装置により達成される。
【０００６】
本発明の他の目的は、エレクトロクロミック表示機器にフルカラーを与える改良された駆動方法を提供することである。
【０００７】
この目的は、請求項８で特定される本発明による方法により達成される。
【０００８】
本発明の他の有利な実施例は、従属請求項で特定される。
【０００９】
本発明の他の目的及びフィーチャは、添付図面に関連して考慮される以下の詳細な記述から明らかになるであろう。しかしながら、前記図面は、説明の目的のためのみに設計され、本発明の制限の定義としては設計されておらず、本発明の制限の定義に対しては添付の請求項を参照するべきであることは、理解されるべきである。更に、前記図面が必ずしも正しい縮尺で描かれてはおらず、別に示されない限り、前記図面が単にここで記述される構造及び手順を概念的に説明することを意図することは、理解されるべきである。
【００１０】
図面において、同様な参照符号は、複数の図を通して同様な要素を示す。
【発明を実施するための最良の形態】
【００１１】
図１は、第１実施例によるエレクトロクロミック・ディスプレイの画素１の概略的な断面図を示す。前記エレクトロクロミック・ディスプレイの各画素は、独立にアドレッシングされることができ、ピクセル間のクロストークを避けるために、電子的又は物理的の何れかで他の画素から分離されることができる。画素１は、好ましくは透明であり、且つガラス又はプラスチック板のような材料でできている第１基板２と、前記第１基板２に結合された導電性対極（conductive counter-electrode）３と、反射的又は透過的であることができる第２基板４と、第２基板４に結合されたエレクトロクロミック層５ａ、５ｂ及び５ｃのスタック（stack）と、対極３とエレクトロクロミック層５ａ、５ｂ及び５ｃのスタックとの間に配置され、対極３とエレクトロクロミック層５ａ、５ｂ及び５ｃのスタック内の隣接するエレクトロクロミック層５ｃとに接触している透明な電解材料６とを有する。エレクトロクロミック層５ａ、５ｂ及び５ｃは、スイッチング動作のために独立にアドレッシングされることができる。各エレクトロクロミック層５ａ、５ｂ、５ｃは、適切な正及び負の電圧を画素セルの両端間に印加することにより透明状態とカラー状態との間で可逆的に切り替えられることができる。フルカラー動作は、好ましくはよく知られた減色法を使用して達成される。本発明によると、これは前記画素セル内の３つのエレクトロクロミック層５ａ、５ｂ及び５ｃの積み重ね及び独立なアドレッシングにより達成される。好ましくは、図１に示されるように、３つの単色エレクトロクロミック層が使用される。これら３つのエレクトロクロミック層は、好ましくはシアン、マジェンタ及びイエロー（ＣＭＹ）であり、これは反射型ディスプレイにおいて白及び黒を含む全ての色を得ることを可能にするが、代替例として赤、緑、青（ＲＧＢ）カラーアプローチも使用されることができる。しかしながら、これは補色の生成における減少された光学的性能に帰着すると予測される。前記エレクトロクロミック層に向かう電子の流れの制御（グレイスケール制御）と組み合わせた補色（又は原色）の生成は、フルカラー動作の生成を可能にする。前記スタック内のエレクトロクロミック層５ａ、５ｂ及び５ｃは独立にアドレッシングされる必要があるので、クロストークを防ぐためにエレクトロクロミック層５ａ、５ｂ及び５ｃを互いから物理的に分離することを要する。これは、好ましくはエレクトロクロミック層５ａ、５ｂ及び５ｃ間に電解層７を使用して達成され、電解層７は、電解材料６と通信するように構成され、これにより以下に詳細に記述されるように電解層７と電解材料６との間に直接のイオン経路が存在する。十分な機械的な支持を保証するために、重合体電解質のような固体のような（solid-state like）電解質が好ましい。更に、前記電解質は、前記エレクトロクロミック層の電気化学の酸化又は還元反応における電荷補償のためにイオンを含むので、表示セルの必須の部分である。電解層７は、エレクトロクロミック反応の速い応答を促進する対イオン（counter-ions）の速い輸送（transport）を促進する。代替実施例において、積み重ねられたエレクトロクロミック層５ａ、５ｂ及び５ｃ間の分離層７は、電解質で満たされた多孔性��縁体からなることができる。図１の実施例によると、前記エレクトロクロミック層に接触している電極は、図１において電力線８ａ、８ｂ及び８ｃに接続された基板４上のインジウムスズ酸化物（ＩＴＯ）トラック（tracks）１７として図示される、前記画素の１つ又は複数の側面において必要とされ、このＩＴＯトラック１７を用いて、前記エレクトロクロミック層は、必要であればいわゆる“バイア”ホールを通って接触する。このような構成において、電子輸送（electron transport）は、従来の深さ方向の電子輸送の代わりに前記画素の横方向に生じる。横方向の寸法は深さより大幅に大きいので、電子の速い輸送を提供するエレクトロクロミック層５ａ、５ｂ及び５ｃが必要とされる。このような場合に、前記エレクトロクロミック層自体は電極として機能する。これらの性質を持つエレクトロクロミック材料の既知のクラスは導電性ポリマである。これらのポリマは、一般に電気化学的に高伝導状態（high-conducting）から低伝導状態（lower conducting state）に切り替わることができ、同時に光学的応答の差が生じる。導電性ポリマのエレクトロクロミック・クラスの他の利点は、インクジェット印刷技術又は平板印刷技術におけるプロセス能力（process-ability）及びパターン能力（pattern-ability）である。アクティブマトリクス（ＡＭ）ディスプレイにおいてクロストークを防ぐために、隣接する画素間に画素壁（pixel wall）が必要とされない。１つの画素から次の画素への直接的な電子輸送を防ぐために前記エレクトロクロミック層をピクセレート（pixelate）（パターニング、pattern）することが可能である。前記画素間の小さな空間は、このような場合に十分である。対極３の容量は、前記スタック内のエレクトロクロミック層５ａ、５ｂ及び５ｃ全てを支える電気化学の対向反応（counter reaction）を与えるのに十分であるべきである。対極３の容量は、好ましくは、様々なエレクトロクロミック層が前記対極に対してアドレッシングされる場合に、前記対極のレドックス状態が大幅に変更されないようなものであるべきである。更に、対極３をピクセレートすることも可能である。前記表示装置の各画素はこれ自体の対極３を持つことができるが、１つの共通の対極面があってもよく、即ち前記表示装置の各画素の対極３は、１つの共通の対極を形成するために接続される。前記対極をディスプレイ駆動回路に接続するライン１６が図１に示され、このライン１６は、前記対極が全ての画素に対して共通である場合には、前記表示装置全体に対して一回接続することのみが必要である。前記画素内の穴又はギャップ９（例えば前記画素の側面における電解質バイア）は、前記画素セルの全体的な電荷的中性を保証し、結合された前記対極とのイオンの接触を促進するために必要とされる。前記ディスプレイが、例えばバックライトを使用して透過的動作（transmissive operation）に使用される場合、前記画素セル全体は、全てのエレクトロクロミック層５ａ、５ｂ及び５ｃが透過状態である場合に透過的になることになる。前記ディスプレイの反射動作に対して、反射面、好ましくは拡散反射面が、前記画素セルの基板側に見る人（viewer）の反対に向けて追加される必要があり、これは第１基板２又は第２基板４であることができる。図１の水���な破線は、第１基板２、対極３及び第２基板４が大幅に大きく、追加の画素セルを有することができることを示す。縦の破線は、記述された画素セル１の境界を示すためのみに使用される。
【００１２】
図２は、図１を参照して説明されたものに加えて、画素１が、第２基板４とエレクトロクロミック層５ａ、５ｂ及び５ｃのスタック内で第２基板４に隣接するエレクトロクロミック層５ａとの間に配置された、例えば従来から使用されている透明なインジウムスズ酸化物（ＩＴＯ）からなる、独立にアドレッシングされることができる作用電極１０ａを有する代替実施例を図示する。この場合のこのエレクトロクロミック層５ａは、好ましくは電極１０ａ上に形成され、従って（上述のように）横方向よりむしろ従来的に深さ方向に切り替えられることができる。代替的に、この電極１０ａは、更に対イオン拡散（counter-ion diffusion）を増加するために、又は吸収エレクトロクロミック種（absorbed electrochromic species）に対する電子輸送を促進するために、ナノ結晶ＴｉＯ2のように多孔性であることができる。
【００１３】
図３は、図１を参照して説明されたものに加えて、画素１が、エレクトロクロミック層５ａ、５ｂ及び５ｃに結合され且つこれらを支える電極層１０ａ、１０ｂ及び１０ｃを有する他の代替実施例を示す。各対応する電極層１０ａ、１０ｂ、１０ｃは、図３に示されるように、結合されたエレクトロクロミック層５ａ、５ｂ、５ｃが前記電極層と対極３との間に位置するように配置されることができるが、前記結合されたエレクトロクロミック層と対極３との間に電極層１０ａ、１０ｂ及び１０ｃを配置することも可能である。１つのエレクトロクロミック層を支える電極は、ポリマ電解質であってもよい固体又はジェル状電解質のような機械的に支持する電解質７により他のエレクトロクロミック層から分離される。電極層１０ｂ及び１０ｃは、いわゆる“バイア”ホールを介して対応するＩＴＯトラック１７に接触する。本実施例による構成は、複雑さ及び反射損失を増加するが、エレクトロクロミック層５ａ、５ｂ及び５ｃを従来的に深さ方向に切り替える機会を与え、エレクトロクロミック材料のより広い範囲の使用を可能にする。これらの支持電極（supporting electrode）１０ａ、１０ｂ及び１０ｃは、更に対イオン拡散を促進し、又は吸収エレクトロクロミック種に対する電子輸送を促進するために、ナノ結晶ＴｉＯ2のように多孔性であることができる。
【００１４】
図４を参照すると、従来のアクティブマトリクス表示装置の構造の一般例が示されている。前記アクティブマトリクス表示装置は、基板４上にあり、ブロック１により示される規則的に間隔を空けた画素の行及び列のマトリクスアレイを持つパネルを有し、それぞれの画素が、エレクトロクロミック表示素子と、前記表示素子を流れる電流を制御する結合された駆動装置とを有し、前記画素は、前記基板上にある行選択導体又は線１２と、列データアドレス導体又は線１１との交差するセット間の交点に配置される。単純化のため、少数の画素１のみが示されている。画素１は、前記パネルに接続された出力部を持ち、順番に行導体１２に供給される走査信号を生成する行走査ドライバ回路１８と、列導体１１に供給されるデータ信号を生成し、個別の画素の前記表示素子からの表示出力を定める列データドライバ回路１９と、回路１８及び１９の動作を制御するタイミング制御ユニット２０とを有する周辺駆動回路により前記アドレス導体のセットを介してアドレッシングされる。
【００１５】
画素の各行は、関連する行導体１２に対して回路１８により印加される選択信号を用いてアドレッシングされ、これにより列導体１１に対して回路１９により並列に印加される対応するデータ信号に従って対応する駆動信号を前記行の画素にロードする。各行がアドレッシングされると、前記データ信号は、適切に同期して回路１９により供給される。
【００１６】
図５は、例えば図１の前記アクティブマトリクスディスプレイのブロック１のうちの１つに配置されることができるエレクトロクロミック画素１のエレクトロクロミック層５又はエレクトロクロミック層５に結合された作用電極１０に対する単一電力線駆動回路を図示する。各画素駆動回路は、スイッチングトランジスタ１３と、駆動トランジスタ１４と、キャパシタ１５と、場合によっては作用電極１０に結合されたエレクトロクロミック層５とを含む。スイッチングトランジスタ１３及び駆動トランジスタ１４は、好ましくは薄膜トランジスタ（ＴＦＴ）である。スイッチングトランジスタ１３のゲートは行選択電極線１２に接続され、スイッチングトランジスタ１３のソースは列データ電極線１１に接続される。スイッチングトランジスタ１３のドレインは駆動トランジスタ１４のゲートに接続される。駆動トランジスタ１４のソースは電力線８に接続され、駆動トランジスタ１４のドレインはエレクトロクロミック層５又はエレクトロクロミック層５に結合された作用電極１０に接続される。前記駆動回路は、画素１のエレクトロクロミック層５又はエレクトロクロミック層５に結合された作用電極１０に対する電力線電圧の印加を制御する列データ入力部１１及び行選択入力部１２を介して制御されることができる。図５の単純な画素回路の使用により、画素１のエレクトロクロミック層５は着色（colored）及び脱色（bleached）されることができる。動作は以下のとおりである。即ち、電力線８は脱色電圧に設定され、前記ディスプレイは２つの電圧でアドレッシングされ、ここで高電圧は駆動トランジスタを導通状態にし、低電圧はトランジスタ１４の導通状態を止め、高電圧で全ての画素１をアドレッシングすることによりリセット動作が実行され、これにより全ての画素１の対応するエレクトロクロミック層５が脱色される（既に脱色されている画素はこの段階では何も行わない）。蓄積キャパシタ１５は、駆動トランジスタ１４が維持期間中に導通状態のままであることを保証する。全ての画素１は、駆動トランジスタ１４をオフにする低電圧でアドレッシングされる。前記電力線電圧は着色電圧に切り替えられる。エレクトロクロミック層５が着色を必要とする画素１は高電圧に対してアドレッシングされる。駆動トランジスタ１４が導通状態になり、着色が始まる。蓄積キャパシタ１５は、もう一度、駆動トランジスタ１４が維持期間の間に導通状態のままであることを保証する。前記画素のエレクトロクロミック層５が十分に着色されている場合には、画素１のエレクトロクロミック層５は、データ入力部１１から低電圧で画素１をアドレッシングすることにより電力線８からの接続を断たれる。新しい画像が完全に書き込まれた場合、電力線８は電源が切られる。本実施例において、色のグレイレベル（“輝度”）は、エレクトロクロミック層５内を通過する電荷の積分量により、従って画素１のエレクトロクロミック層５又はエレクトロクロミック層５に結合された作用電極１０が電力線８に接続される時間により定められることになる。
【００１７】
図６は、エレクトロクロミック層５ａが着色及び脱色されることができるように２つの電力線８ａ１及び８ａ２を持つ、より複雑な画素回路を図示する。前記駆動回路は、画素１のエレクトロクロミック層５ａ又はエレクトロクロミック層５ａに結合された作用電極１０ａに対する電力線電圧の印加を制御する２つの列データ入力部１１ａ１及び１１ａ２並びに２つの行選択入力部１２ａ１及び１２ａ２を介して制御されることができる。前記画素回路の動作は以下のとおりである。即ち、電力線８ａ１及び８ａ２は、それぞれ脱色電圧及び着色電圧に設定される。前記ディスプレイは２つの電圧でアドレッシングされ、ここで高電圧は駆動トランジスタ１４ａ１、１４ａ２を導通状態にさせ、低電圧は駆動トランジスタ１４ａ１、１４ａ２の導通状態を止める。列データ１１ａ１は、エレクトロクロミック層５ａが脱色を必要としている画素１を選択するのに使用される。列データ１１ａ２は、エレクトロクロミック層５ａが着色を必要としている画素１を選択するのに使用される。エレクトロクロミック層５ａが着色又は脱色を必要としている画素１は、高電圧でアドレッシングされる。駆動トランジスタ１４ａ１、１４ａ２は導通状態になり、脱色又は着色が始まる。蓄積キャパシタ１５は、駆動トランジスタ１４ａ１、１４ａ２が維持期間中に導通状態のままであることを保証する。画素１のエレクトロクロミック層５ａが十分に着色又は脱色される場合、エレクトロクロミック層５ａ又はエレクトロクロミック層５ａに結合された作用電極１０ａは、データ入力部１１ａ１及び１１ａ２から低電圧で画素１をアドレッシングすることにより電力線８ａ１、８ａ２からの接続を断たれる。新しい画像が完全に書き込まれる場合、電力線８ａ１及び８ａ２は電源を切られることができる。再び、本実施例において、色のグレイレベル（“輝度”）は、エレクトロクロミック層５ａ内を通過する電荷の積分量により、従ってエレクトロクロミック層５ａ又はエレクトロクロミック層５ａに結合された作用電極１０ａが電力線８ａ１、８ａ２に接続されている時間により定められることになる。一般に“リセット”は使用されないことになるので、新しいグレイレベルに達する正しい量の電荷が充電（又は放電）される前にエレクトロクロミック層５ａの以前の状態を知ることが必要になる。これは、以前のグレイレベルがフレームメモリに記憶され、前記新しいグレイレベルが前記以前のグレイレベルと比較され、所要の電荷が（ルックアップテーブル又は解析関数を介して）決定される場合に、信号処理アプローチを必要とする。これは、データ入力部１１ａ１及び１１ａ２を介する前記画素データとして画素１に供給されることになる。
【００１８】
図７において、３つの独立に切り替えられることができるエレクトロクロミック層５ａ、５ｂ及び５ｃを持つカラー画素１を駆動することができる本発明の実施例が示されている。エレクトロクロミック層５ａ、５ｂ及び５ｃ又はエレクトロクロミック層５ａ、５ｂ及び５ｃに結合された作用電極１０ａ、１０ｂ及び１０ｃは、図５による単一の電力線を持つ前記画素回路を使用して個別に駆動される。前記画素データは、（図７の左側に行選択信号１２ａ、１２ｂ及び１２ｃにより図示されるように）連続的なライン周期で３つの行をアドレッシングすることにより３つのエレクトロクロミック層５ａ、５ｂ及び５ｃ又はエレクトロクロミック層５ａ、５ｂ及び５ｃに結合された作用電極１０ａ、１０ｂ及び１０ｃに対して順番に供給される。個別の画素の動作は、図５による実施例に対して説明されたものと同様である。代替実施例において、図６の２つの電力線回路が、個別の画素を駆動するために実装されることができる。この状況において、全ての画素に、エレクトロクロミック層５ａ、５ｂ及び５ｃ又はエレクトロクロミック層５ａ、５ｂ及び５ｃに結合された作用電極１０ａ、１０ｂ及び１０ｃを電力線８ａ１、８ａ２、８ｂ１、８ｂ２、８ｃ１、８ｃ２の何れかに接続するために２つの行ライン１２ａ１、１２ａ２、１２ｂ１、１２ｂ２、１２ｃ１、１２ｃ２が設けられる。最も一般的な場合には、このような画素は、従って、６つの電力線を備えることになる。同じ電圧（脱色又は着色の何れか）で動作するエレクトロクロミック材料が見つけられた場合、電力線の数は、２つ以上のエレクトロクロミック層又は前記エレクトロクロミック層に結合された前記作用電極間で電力線を共有することにより減少されることができる。これは前記画素のスペースを節約し（開口を増加し）、複雑さを減少し、従ってこれは本発明の好適な実施例である。
【００１９】
図８は、２つの独立に切り替えられることができるエレクトロクロミック層５ａ及び５ｂ（３層への拡張は自明であるが、明瞭さの理由で図示されない）を持つカラー画素１を駆動することができ、画素１毎に２つの電力線８ａ１、８ａ２、８ｂ１、８ｂ２及び複数のデータ列１１ａ１，１１ａ２、１１ｂ１、１１ｂ２を持つ色付きエレクトロクロミック画素１用の駆動回路の実施例を図示する。ここで、エレクトロクロミック層５ａ及び５ｂ又はエレクトロクロミック層５ａ及び５ｂに結合された作用電極１０ａ及び１０ｂは、２つの電力線を持つ前記画素回路（図６）を使用して個別に駆動される。前記画素データは、同じライン周期で４つのデータ列１１ａ１、１１ａ２、１１ｂ１及び１１ｂ２をアドレッシングすることにより、２つのエレクトロクロミック層５ａ及び５ｂ又はエレクトロクロミック層５ａ及び５ｂに結合された作用電極１０ａ及び１０ｂに並列に供給される。個別の画素の動作は、図６の実施例に対して説明されたものと同様である。代替実施例において、図５の単一電力線回路は、個別の画素を駆動するために実装されることができる。この状況において、全ての画素に１つの行ライン１２のみが設けられることになり、エレクトロクロミック層毎に単一の列データライン１１のみが必要とされることになる。（図５の実施例による）動作は、再び、新しい画像が前記画素に書き込まれる前に、前記画素全てがまずリセット（即ち脱色）されることを必要とする。同じ電圧（脱色又は着色の何れか）で動作するエレクトロクロミック材料が見つけられることができる場合に、電力線の数は、２つ以上のエレクトロクロミック層５又はエレクトロクロミック層５に結合された作用電極１０の間で電力線８を共有することにより減少されることができる。これは前記画素のスペースを節約し（開口を増加し）、複雑さを減少し、従ってこれは本発明の好適な実施例である。
【００２０】
上述の実施例の何れか１つによる表示装置の画素１を動作する駆動方法は、エレクトロクロミック層５又はエレクトロクロミック層５に結合された作用電極１０に選択的に接続されることができる少なくとも１つの電力線８を提供するステップと、電力線８に脱色電圧又は着色電圧を選択的に印加するステップと、脱色又は着色されるべきエレクトロクロミック層５又はエレクトロクロミック層５に結合された作用電極１０をアドレッシングするステップと、電力線８をアドレッシングされたエレクトロクロミック層５又はアドレッシングされたエレクトロクロミック層５に結合された作用電極１０に接続するステップと、維持期間中アドレッシングされたエレクトロクロミック層５又はエレクトロクロミック層５に結合された作用電極１０に対する電力線８の接続を維持するステップと、アドレッシングされたエレクトロクロミック層５又はエレクトロクロミック層５に結合された作用電極１０から電力線８の接続を断つステップとを有する。
【００２１】
他の実施例において、前記駆動方法は、連続的なライン周期で順番に追加のエレクトロクロミック層５又は追加のエレクトロクロミック層５に結合された作用電極１０をアドレッシングすることにより画素１の追加のエレクトロクロミック層４に適用される。
【００２２】
更に他の実施例において、前記駆動方法は、同じライン周期において並列に追加のエレクトロクロミック層５又は追加のエレクトロクロミック層５に結合された作用電極１０をアドレッシングすることにより画素１の追加のエレクトロクロミック層４に適用される。
【００２３】
上記により説明されたように、各画素セルにおいてフルカラー動作の生成を可能にするフルカラー・アクティブマトリクス・エレクトロクロミック・ディスプレイが記載されており、ここで駆動エレクトロニクスは、有利には各スタックに対する単一のアクティブマトリクス基板層（例えばガラス又はプラスチック）に組み込まれることができる。一般的なエレクトロクロミック・ディスプレイは、反射率、視角、コントラスト、広く保持される開口に関して高い視覚的品質の利点を持つ。本発明によるアプローチは、それぞれ独自のアクティブマトリクス基板層を持つ複数のエレクトロクロミックセルを積み重ねる従来技術のアプローチであって、このような従来技術のディスプレイをかなり厚く高価にし、厳しい視差の問題を生じる当該従来技術のアプローチと比較して有利である。
【００２４】
従って、本発明の基本的な新規のフィーチャが好適な実施例に適用されて示され、記述され、指摘されているが、図示された前記装置の及びその動作の形式及び細部において様々な省略、代用及び変更が、本発明の精神から外れることなく当業者により行われることができることが理解される。例えば、同じ結果を達成する実質的に同じ様式で実質的に同じ機能を実行する要素及び／又は方法ステップの全ての組み合わせが本発明の範囲内であることは、明確に意図される。更に、本発明の如何なる開示された形式又は実施例に関連して示された及び／又は記述された構造及び／又は要素及び／又は方法ステップが、一般的な設計選択の問題として他の開示された、記述された又は提案された形式若しくは実施例に組み込まれることができることは、認識されるべきである。従って、ここに添付された請求項の範囲により示されるものとしてのみ制限されることが意図される。
【図面の簡単な説明】
【００２５】
【図１】本発明の第１実施例による表示装置の画素の概略的な断面図を開示する。
【図２】本発明の第２実施例による表示装置の画素の概略的な断面図を開示する。
【図３】本発明の第３実施例による表示装置の画素の概略的な断面図を開示する。
【図４】従来のアクティブマトリクス表示装置の構造の一般的な例を開示する。
【図５】本発明によるエレクトロクロミック画素に対する単純化された単一電力線駆動回路を開示する。
【図６】本発明によるエレクトロクロミック画素に対する単純化されたデュアル電力線駆動回路を開示する。
【図７】複数のアドレッシング行を有するカラー化されたエレクトロクロミック画素に対する単純化された単一電力線駆動回路を開示する。
【図８】ピクセル毎に複数のデータ列及び２つの電力線を持つカラー化されたエレクトロクロミック画素に対する単純化された駆動回路を開示する。
【図１】
2005535930.tif 000003
【図２】
2005535930.tif 000004
【図３】
2005535930.tif 000005
【図４】
2005535930.tif 000006
【図５】
2005535930.tif 000007
【図６】
2005535930.tif 000008
【図７】
2005535930.tif 000009
【図８】
2005535930.tif 000010
【国際調査報告】
2005535930.tif 000011
2005535930.tif 000012
2005535930.tif 000013